(57)【要約】【課題】台紙の裏面に印刷されている商品説明、効能書きなどの文字等が見えなくなるようなことがなく、熱収縮フィルムの筒内への被包装体の挿入作業が行い易く、しかも被包装体の保持力が強い台紙付き包装体を提供する。【解決手段】台紙１の下端部に保持片２を設けると共に、台紙１の下端部より上方位置に、被包装体Ｗを包囲し得る筒状の透光性とした熱収縮フィルム３の上端の引掛部４を設けたものとし、保持片２を台紙１の片面側に折り返し、この折り返した保持片２と前記引掛部４に筒状の透光性とした熱収縮フィルム３の側面部を引っ掛けることにより、台紙１に前記熱収縮フィルム３を保持させ、さらに前記熱収縮フィルム３の筒内に被包装体Ｗを入れ、この熱収縮フィルム３を熱収縮させて、熱収縮フィルム３に被包装体Ｗを保持させたものとしている。【選択図】　　　　図４
2004136922.tif 000002
【特許請求の範囲】
【請求項１】
台紙（１）の下端部に保持片（２）を設けると共に、台紙（１）の下端部より上方位置に、被包装体（Ｗ）を包囲し得る筒状の透光性とした熱収縮フィルム（３）の上端の引掛部（４）を設けたものとし、保持片（２）を台紙（１）の片面側に折り返し、この折り返した保持片（２）と前記引掛部（４）に筒状の透光性とした熱収縮フィルム（３）の側面部を引っ掛けることにより、台紙（１）に前記熱収縮フィルム（３）を保持させ、さらに前記熱収縮フィルム（３）の筒内に被包装体（Ｗ）を入れ、この熱収縮フィルム（３）を熱収縮させて、熱収縮フィルム（３）に被包装体（Ｗ）を保持させたことを特徴とする台紙付き包装体。
【請求項２】
前記保持片（２）を、縦長の帯状部（２ａ）の側面の適宜位置から横長の帯状部（２ｂ）を突出させ、折り目（２ｃ）を介して台紙（１）に連設したものとしたことを特徴とする請求項１記載の台紙付き包装体。
【請求項３】
前記保持片（２）の帯状部（２ｂ）の横方向の長さを、筒を畳んだ状態の熱収縮フィルム（３）の横方向の長さと同じか、少し短いものにしたことを特徴とする請求項２記載の台紙付き包装体。
【請求項４】
前記保持片（２）の帯状部（２ａ、２ｂ）の縦方向に折り目（２ｄ）を形成したものとし、この折り目（２ｄ）にしたがい帯状部（２ａ、２ｂ）を湾曲状に折り曲げておけるようにしたことを特徴とする請求項２または３記載の台紙付き包装体。
【請求項５】
前記熱収縮フィルム（３）を、筒を畳んだ状態において、下端の中央部または下端の一端部に凹状切込部（６）を形成し、この下端の両端部または下端の他端部が、台紙（１）の片面側に折り返した保持片（２）の下方に食み出るようにしたことを特徴とする請求項１〜４の何れかに記載の台紙付き包装体。
【発明の詳細な説明】
【０００１】
【発明の属する技術分野】
この発明は、化粧品、医薬品、文房具、塗装用品などの被包装体を台紙に保持させ、店頭などで陳列しておくことができる台紙付き包装体に関するものである。
【０００２】
【従来の技術】
従来、この種の台紙付き包装体としては、例えば、本件出願人が出願したものが存在する。この台紙付き包装体は、図６に示したように、台紙１１の下端部に縦長の帯状とした保持片１２を設けると共に、台紙１１の下端部より上方位置に保持片１２の上端部の挿入部１３を設けたものとしている。そして、この台紙付き包装体は、保持片１２を台紙１１の表面側に折り返し、この折り返した保持片１２に被包装体Ｗを包囲し得る筒状の熱収縮フィルム１４の側面部を引っ掛け、保持片１２の上端部を挿入部１３に挿入することにより、図７に示したように、台紙１１と保持片１２の間に熱収縮フィルム１４を挟み込んで保持させるようにしている。この状態において、熱収縮フィルム１４の筒内に被包装体Ｗを挿入し、この熱収縮フィルム１４を熱収縮させて、図８、９に示したように、熱収縮フィルム１４の筒内に被包装体Ｗを保持させるものとしている（特許文献１参照）。
【０００３】
【特許文献１】
特開２００１−１６３３６０号公報（第２頁右欄第４０行目〜第３頁左欄第４行目、図１〜４）
【０００４】
【発明が解決しようとする課題】
従来の台紙付き包装体では、上記したように保持片１２の上端部を挿入部１３に挿入することにより、台紙１１と保持片１２の間に熱収縮フィルム１４を挟み込んで保持させるようにしているため、保持片１２の上端部が台紙１１の裏面に突き出す。ところが、この台紙１１の裏面に突き出した保持片１２の上端部によって、台紙１１の裏面に印刷されている商品説明、効能書きなどの文字等が見えなくなってしまうという課題を有していた。
【０００５】
さらに、従来の台紙付き包装体では、保持片１２を縦長の帯状としているため、上記図７に示したように、台紙１１と保持片１２の間に熱収縮フィルム１４を挟み込んで保持させるようにした場合、保持片１２と熱収縮フィルム１４の接触面積が狭くなり、熱収縮フィルム１４が安定した状態で台紙１１と保持片１２の間に保持されない。そのため、この熱収縮フィルム１４の筒内に被包装体Ｗを挿入するときに、熱収縮フィルム１４が動いて、その被包装体Ｗの挿入作業が行い難いものになるという課題を有していた。
【０００６】
また、従来の台紙付き包装体では、熱収縮フィルム１４の筒内に被包装体Ｗを挿入し、この熱収縮フィルム１４を熱収縮させた場合、被包装体Ｗの側面部しか包被することができないため、熱収縮フィルム１４による被包装体Ｗの保持力が弱いという課題を有していた。
【０００７】
そこで、この発明は、上記従来の課題を解決するものであり、台紙の裏面に印刷されている商品説明、効能書きなどの文字等が見えなくなるようなことがなく、熱収縮フィルムの筒内への被包装体の挿入作業が行い易く、しかも被包装体の保持力が強い台紙付き包装体を提供することを目的としてなされたものである。
【０００８】
【課題を解決するための手段】
そのため、この発明の台紙付き包装体は、台紙１の下端部に保持片２を設けると共に、台紙１の下端部より上方位置に、被包装体Ｗを包囲し得る筒状の透光性とした熱収縮フィルム３の上端の引掛部４を設けたものとし、保持片２を台紙１の片面側に折り返し、この折り返した保持片２と前記引掛部４に筒状の透光性とした熱収縮フィルム３の側面部を引っ掛けることにより、台紙１に前記熱収縮フィルム３を保持させ、さらに前記熱収縮フィルム３の筒内に被包装体Ｗを入れ、この熱収縮フィルム３を熱収縮させて、熱収縮フィルム３に被包装体Ｗを保持させたものとしている。
【０００９】
そして、この発明の台紙付き包装体では、前記保持片２を、縦長の帯状部２ａの側面の適宜位置から横長の帯状部２ｂを突出させ、折り目２ｃを介して台紙１に連設したものとしている。
【００１０】
さらに、この発明の台紙付き包装体では、前記保持片２の帯状部２ｂの横方向の長さを、筒を畳んだ状態の熱収縮フィルム３の横方向の長さと同じか、少し短いものにすることができる。
【００１１】
また、この発明の台紙付き包装体では、前記保持片２の帯状部２ａ、２ｂの縦方向に折り目２ｄを形成したものとし、この折り目２ｄにしたがい帯状部２ａ、２ｂを湾曲状に折り曲げておけるようにすることができる。
【００１２】
さらにまた、この発明の台紙付き包装体では、前記熱収縮フィルム３を、筒を畳んだ状態において、下端の中央部または下端の一端部に凹状切込部６を形成し、この下端の両端部または下端の他端部が、台紙１の片面側に折り返した保持片２の下方に食み出るようにすることができる。
【００１３】
【発明の実施の形態】
以下、この発明の台紙付き包装体の実施の形態を、図面に基づいて詳細に説明する。
【００１４】
この発明の台紙付き包装体は、図１に示したように、長方形状の台紙１の下端部に保持片２を設けると共に、台紙１の下端部より上方位置に、被包装体Ｗを包囲し得る筒状の透光性とした熱収縮フィルム３の上端の引掛部４を設けたものとしている。そして、保持片２を台紙１の片面側（図示したものは、表面側としているが裏面側としてもよい）に折り返し、この折り返した保持片２と前記引掛部４に筒状の透光性とした熱収縮フィルム３の側面部を引っ掛けることにより、図２、３に示したように、台紙１に前記熱収縮フィルム３を保持させる。さらに、前記熱収縮フィルム３の筒内に被包装体Ｗを入れ、この熱収縮フィルム３を熱収縮させて、図４に示したように、熱収縮フィルム３に被包装体Ｗを保持させたものとしている。
【００１５】
台紙１は、一般的にはボール紙などの板紙が使用されるが、合成樹脂板などとしてもよく、形状も長方形状に限らず任意の形状とすることができる。また、台紙１の表裏面には、商品説明、効能書きなどの文字等が印刷されている。なお、台紙１の上部には、必要に応じ、店頭などで陳列しておく際、フックに引っ掛けておくためのフック孔５を設けたものとしている。
【００１６】
保持片２は、縦長の帯状部２ａの側面の適宜位置から横長の帯状部２ｂを突出させ、例えば図示したように略Ｔ字状形状としたり、図示していないが略十字状形状などとしており、折り目２ｃを介して台紙１に連設したものとしている。帯状部２ａの縦方向の長さは、被包装体Ｗの縦方向の長さの半分以上とするのが、この被包装体Ｗを安定した状態で保持するのに好ましいものとなる。さらに、帯状部２ｂの横方向の長さは、図２に示したように、筒を畳んだ状態の熱収縮フィルム３の幅方向の長さと同じか、少し短いものにするのが、この熱収縮フィルム３を保持片２に差し込んだ状態で位置決めしておけるので、好ましいものとなる。なお、前記保持片２は、縦長の帯状部２ａのみから形成され、横長の帯状部２ｂを突出させていないものとしてもよい。このような場合も、帯状部２ａの縦方向の長さを、被包装体Ｗの縦方向の長さの半分以上としたり、帯状部２ａの横方向の長さを、筒を畳んだ状態の熱収縮フィルム３の幅方向の長さと同じか、少し短いものにするのが、前記したのと同様の理由で好ましいものとなる。
【００１７】
さらに、保持片２には、被包装体Ｗに添わせ易くするために、必要に応じて帯状部２ａ、２ｂの縦方向に折り目２ｄを形成したものとしている。このようにした保持片２は、図２に示した状態において、前記折り目２ｄにしたがい帯状部２ａ、２ｂを湾曲状に折り曲げておけば、図３に示したように、熱収縮フィルム３を筒状に保つことができ、この熱収縮フィルム３の筒内に被包装体Ｗを入れ易くなる。
【００１８】
熱収縮フィルム３は、ポリ塩化ビニルフィルム、ポリエチレンフィルム、ポリエステルフィルム、ポリプロピレンフィルムなどが使用されるが、筒の周方向にのみ熱収縮するものを使用するのが好ましい。そして、この熱収縮フィルム３は、図２に示したように、筒を畳んだ状態において、下端の中央部または下端の一端部に凹状切込部６を形成し、この下端の両端部または下端の他端部が、台紙１の片面側に折り返した保持片２の下方に食み出るようにすることができる。このようにすれば、前記熱収縮フィルム３の筒内に被包装体Ｗを入れ、この熱収縮フィルム３を熱収縮させた場合に、熱収縮フィルム３が被包装体Ｗの側面から底部にかかる部分も被包することになるので、この被包装体Ｗを堅固に保持することができるものとなる。また、前記引掛部４に筒状の透光性とした熱収縮フィルム３の側面部上端を引っ掛けた場合、この熱収縮フィルム３が台紙１の裏面に露出し、台紙１の裏面に印刷されている商品説明、効能書きなどの文字等に被さることになるが、熱収縮フィルム３を透光性としているため、これらの文字等が見えなくなってしまうことはない。さらに、前記熱収縮フィルム３には、筒の側面部において縦方向に一本または数本のミシン目７を入れたものとし、このミシン目７から熱収縮フィルム３を切断することにより、保持した被包装体Ｗをこの熱収縮フィルム３から外し易いようにしている。
【００１９】
引掛部４は、熱収縮フィルム３の側面部上端を引っ掛けることができればその大きさや形状は問わないが、熱収縮フィルム３の側面部上端を引っ掛けた後、引掛部４から抜け難い形状、例えば図１〜４に示したような略四角形状の舌片４ａに切欠いた形状にしたり、図示していないが略三角形状の舌片や、略半円形状の舌片などに切欠いた形状にすることができる。
【００２０】
以上のように構成されたこの発明の台紙付き包装体は、店頭などでフックに引っ掛けて陳列しておく場合には、そのフックに台紙１のフック孔５を引っ掛ければよく、店頭などで自立させた状態で陳列しておく場合には、被包装体Ｗの底が自立面に接触するようにすればよい。
【００２１】
このような陳列状態において、この発明の台紙付き包装体は、台紙１の片面側に折り返した保持片２と引掛部４に熱収縮フィルム３の側面部を引っ掛け、台紙１に熱収縮フィルム３を保持させたものとしているので、熱収縮フィルム３がこの台紙１から外れてしまうようなことはない。また、自立させた状態で陳列しておく場合に、被包装体Ｗの底が自立面に接触するようにすれば、この被包装体Ｗの底が台紙１の下端部と略同一面になるので、被包装体Ｗは直立した状態となる。
【００２２】
【発明の効果】
この発明の台紙付き包装体は、以上に述べたように構成されているので、台紙の裏面に印刷されている商品説明、効能書きなどの文字等が見えなくなるようなことがなく、熱収縮フィルムの筒内への被包装体の挿入作業が行い易く、しかも被包装体Ｗの保持力が強いものとなった。
【図面の簡単な説明】
【図１】この発明の台紙付き包装体の一実施形態に使用する台紙と熱収縮フィルムを示す斜視図である。
【図２】この発明の台紙付き包装体の一実施形態に使用する台紙に熱収縮フィルムを保持させた状態を示す斜視図である。
【図３】この発明の台紙付き包装体の一実施形態に使用する台紙に熱収縮フィルムを保持させ、その熱収縮フィルムを筒状に広げた状態を示す斜視図である。
【図４】この発明の台紙付き包装体の一実施形態を示す斜視図である。
【図５】この発明の台紙付き包装体の一実施形態を示す断面図である。
【図６】従来の台紙付き包装体に使用する台紙と熱収縮フィルムを示す斜視図である。
【図７】従来の台紙付き包装体に使用する台紙に熱収縮フィルムを保持させた状態を示す斜視図である。
【図８】従来の台紙付き包装体の一例を示す斜視図である。
【図９】従来の台紙付き包装体の一例を示す断面図である。
【符号の説明】
１　台紙
２　保持片
２ａ　突出部
２ｂ　突出部
２ｃ　折り目
２ｄ　折り目
３　熱収縮フィルム
４　引掛部
６　凹状切込部
Ｗ　被包装体
【図１】
2004136922.tif 000003
【図２】
2004136922.tif 000004
【図３】
2004136922.tif 000005
【図４】
2004136922.tif 000006
【図５】
2004136922.tif 000007
【図６】
2004136922.tif 000008
【図７】
2004136922.tif 000009
【図８】
2004136922.tif 000010
【図９】
2004136922.tif 000011